(57)【要約】      （修正有）【課題】パイプ曲げにおいて日曜大工や学校の工作で容易に使えて持ち運びの楽な工具、または、ホームセンタなどで市販されている園芸用薄鋼板のパイプや鉄線にビニール被覆を被せたものを曲げる際にビニール被覆や塗装を傷つけない工具を提供する。【解決手段】市販の水道プライヤーを１部加工してベース枠２に取付けパイプ押え金具８とストッパー１０ａとガイドコロと机の上に乗せる台を備えた工具とした。【選択図】図５
2009202231.tif 000002
【特許請求の範囲】
【請求項１】
パイプ曲げ機において軽量で片手で持ち運びと操作できる工具としたことを特徴とするパイプ曲げ工具。
【請求項２】
前記パイプ曲げ工具は水道プラィヤーの第１のプラィヤーの口金側の軸ピン部に穴あけおよびタップ加工したこと、および前記水道プラィヤーの第１と第２の口金部先端を短く切断し第２の口金部に凹型の切り込み溝とピン穴を加工したことを特徴とする請求項１項に記載のパイプ曲げ工具。
【請求項３】
前記水道プラィヤーの第１のプラィヤーの口金部に第１の金具を介してベース枠に固定したこと、および第１の金具と第２の金具で前記第１のプラィヤーの口金部を挟みベース枠に固定したことを特徴とする請求項１項および請求項２項に記載のパイプ曲げ工具。
【請求項４】
前記水道プラィヤーの第２の口金の凹型の切込溝にパイプ押え山を備えた略Ｔ型の押え金具をピンで首振り可能に取付けたことを特徴とする請求項１項から請求項３項に記載のパイプ曲げ工具。
【請求項５】
前記ベース枠の第２の口金が下りる部分にパイプストッパーをネジ穴を通した蝶ボルトで前記ベース枠より高さ可変に取付けたこと、および前記ベース枠の両側に複数の丸い山に囲まれた丸い谷からなるガイドを前記ベース枠に備えた長穴上を可動できるように蝶ボルトで固定したことを特徴とする請求項１項から請求項４項に記載のパイプ曲げ工具。
【請求項６】
前記ベース枠はガイド位置を確認する水平方向の目盛りまたは色分け部を備えたこと、および前記蝶ボルト付きのパイプストッパーは首部に目盛りまたは色分け部を備えたことを特徴とする請求項１項から請求項５項に記載のパイプ曲げ工具。
【請求項７】
前記水道プラィヤーの第２の口金部先端部のピン穴に付ける略Ｔ型の前記パイプ押え金具は押え部を樹脂などの軟質材にしたこと、または押え金具の幅を広げ押え山を２箇所にしたことを特徴とする請求項１項から請求項６項に記載のパイプ曲げ工具。
【請求項８】
前記ベース枠の両端に支え台を備えたことを特徴とする請求項１項から請求項７項のいずれかに記載のパイプ曲げ工具。
【請求項９】
前記パイプ曲げ工具のベース枠をやめて代りにＶ型の受金具を支え金具と共に前記加工した水道プライヤーの第１の口金部を挟むように取付けたことを特徴とする請求項１項から請求項４項に記載のパイプ曲げ工具。
【発明の詳細な説明】
【技術分野】
【０００１】  この発明は専門家でなくても日曜大工や学校の工作などで簡単パイプを曲げられ、しかも持ち運びの容易な工具を作る技術である。
【背景技術】
【０００２】  従来パイプ曲げは非常に難しく一般の人が興味本位でできるものでなく専門家に依頼する必要があった。【０００３】
【特許文献１】特開２００６−２０５２１５
【特許文献２】特開２００７−９０４２２
【特許文献３】特開２００６−３２６６３７
【発明の開示】
【発明が解決しようとする課題】
【０００４】  前記特許文献１の公報に示すものはパイプ曲げを高速で処理するもので工場生産に向いている。
前記特許文献２の公報に示すものはパイプ曲げにおいてパイプ外側の肉厚の減少を抑えるのに有効な曲げ装置である。
前記特許文献３の公報に示すものはパイプ曲げを小曲げＲの加工に有効な曲げ加工装置である。【０００５】  従来のパイプ曲げは前述の専用機による方法が確実であつた。
それ以外に曲げる方法は電線管などの曲げにおいてはガイドピンを備えた工作台にパイプを固定し取手の長いパイプベンダーによりテコの原理で曲げる方法があるがこれもかなりスペースが必要な工作装置でパイプベンダーもパイプの曲げＲとパイプの太さに合うベンダーを揃える必要があった。
以上の特許文献の専用機や工作装置は簡単に持ち運びすることができないといった問題があった。
そのほか昔から伝えられているパイプ曲げ方法はまずパイプがつぶれない様にパイプの中に砂を詰めて詰めた砂が出ないように処理して万力などで挟み手曲げする方法があるが非常に難しく、特にパイプの肉厚が非常に薄いものはつぶれてしまうといった問題があった。
またパイプをバーナーで熱しながら曲げるといった方法もあるがこれも難しい技術が必要であり熱でパイプがつぶれることがある。また塗装をしたパイプでは塗料が燃えてしまう、さらに表面をビニールコーテングしたものにおいては被覆が燃えてしまうといった問題があった。
【課題を解決しょうとする手段】
【０００６】  本案では市販の水道プライヤーを加工してベース枠に取付けて、パイプ押え金具とストッパーとガイドコロと机の上に乗せる台を備えた工具とした。
【発明の効果】
【０００７】  このため簡単で軽量な工具としてパイプから鉄線まで容易に曲げ加工ができるようにできた。しかも持ち運びも容易である。
【発明を実施するための最良の形態】
【０００８】実施の形態１．
図１は本装置に流用する水道プライヤーの加工図、図２は実施の形態１を示すパイプ曲げ工具の平面図、図３は図２の視Ｂ−Ｂで工具の正面図、図４は図２の側面図、図５は図２から４の斜視図、図６はパイプ折り曲げの順序１、図７は図６の側面図、図８はパイプ曲げ順序２、図９はパイプ曲げ順序３、図１０はパイプ曲げ部詳細図、図１１はパイプ曲げ例で直線部と曲げ部を組合せた物、図１２は緩い曲げと直線の組合せ、図１３は環状曲げ、図１４はスパイラル曲げの例である。
図において、１は水道プライヤー、１ａは第１のプライヤー部、１ｂは第２のプライヤー部、１ｃは切欠部、１ｄは切欠き凹溝、１ｅはピン用穴、１ｆは軸ピン、１ｇは挟み径調整用ピン掛穴、２はベース枠、２ａは長穴、２ｂは目盛りまたは色分け、３は第１の取付金具、４は第２の取付金具、４ａは取付ネジ、４ｂは取付サラネジ、５はガイド、５ａは大山、５ｂは小山、５ｃは丸谷、５ｄはネジ穴、６は台、６ａは取付ネジ、７は取付ネジ、７ａはナット、８は押え金具、８ａは山、８ｂは樹脂部、９はネジ穴付金具、１０は蝶ボルト、１０ａはストッパー、１０ｂはホルダー部、１０ｃは目盛りまたは色分け、１１は机または工作台、１２はパイプ、１３ａ〜１３ｄはパイプ、１３ｅはツナギピースである。【０００９】  まず市販の水道用プライヤーの先端を図１のＡ部のように加工する。
切欠き１ｃ、切欠き凹溝１ｄ、ピン用穴１ｅ、ネジ穴１ｈを加工。
次に第１のプライヤー部のネジ穴１ｈを利用してベース枠２に取付けた第１の金具３にネジ４ａで固定、次に第２の金具４で第１のプライヤーの口金部分の外周をネジ４ｃで第１の金具３と挟み固定する。
次に第２のプライヤー先端の溝に押え金具８をピン８ｃで前後に首振り可能に取付ける。次にベース金具２の下面よりネジ穴付き金具９によりストッパー１０を取付ける。またストッパーのホルダー部には目盛り、または色分けする。例えば２ｍｍ毎に色分けを施工するとベース枠の上面から一目でどれだけ出ているか判読できる。【００１０】  これでパイプ挟み部は組み立て完了した。ベース枠２の正面に目盛、または色分け２ｂを貼る。この目盛りや色分けにより山付きガイド５の位置が容易にわかる。また山付きのガイド５をベース枠の長穴２ａを使用し蝶ボルト７の途中に固定ナット７ａをＷナット止めして取付ける。これも目盛りまたは色分けによりベース枠からの高さを容易に判断できる。最後にベース枠の両端に台６を取付ネジ６ａで固定する。この台により机や工作台に載せることができ曲げ作業が安定する。
以上でパイプ曲げ工具は完成した。【００１１】  パイプ曲げ方法、
図６のようにパイプを工具のガイドコロの谷５ｃに乗せ押さえ金具８とで挟む。パイプの径に応じてプライヤーの挟み径調整用ピン掛穴１ｇとストッパーの高さを調整する。
最初はパイプを軽く挟んで全体を挟みながら送る。一通り通したらガイド山の位置を中央にずらし、同時にストッパーの高さも低くする。こうして一段階曲げを小さくしてまた小刻みに一通りパイプを通す。この作業を繰返すことでパイプをリング状にまで小さくすることができる。
リングにするにはパイプの内径に合わせたツナギピース１３ｅを入れればパイプが繋がりリングとなる。【００１２】  以上の方法によりパイプを曲げることで図１１〜図１４のように色々変形した曲げを得ることができる。またつなぎピース１３ｅを入れることで色んな形状の組み合わせを得ることができる。
特に最近はホームセンタなどで園芸用の薄鋼板のパイプに緑色の樹脂を被服した製品が販売されており、これは超薄板のパイプであり通常のパイプ曲げ機では割れてしまうが本案の工具では曲げの押えと送りを少なくすることで手で感触を味わいながら曲げることができ、しかも表面の樹脂や塗装を傷つけることがないといった効果がある。また塀のバラアーチなどの空間に本工具で曲げた色々な形状のパイプを組み合わすことで個性豊かなデザインができる。【００１３】  このようにパイプを曲げることで学校の工作では児童に物作りの要領，力加減の入れ方などの教育が理論ではなく体で体感させることができる。
またこれらを応用して各種曲げに挑戦することで工夫する気風を芽生えさせることができる。
さらに副次的効果として手を動かし握力を使うことで握力アップと脳の活性化も得ることができる。
本案の工具は簡単に持ち運びでき収納も場所を取らない。しかもどこでも使用できる。
とくにパイプを曲げて製品として組立てた後でもパイプを解体しなくても工具が入れば曲げを追加することができる。【００１４】実施の形態２．
図１５は実施の形態２を示す図１０相当の図である。図において、１４は押え金具、１４ａは樹脂部、１４ｂは山部、１４ｃはピンである。
本例ではパイプ押え金具の幅を広げパイプ当たり面の山を２山にしたものでその他は実施の形態１と同様である。
パイプ押えの幅を広げパイプ当たり面の山を２山にしたことでパイプ曲げ押え面積を広げ曲げ押え力を分散したものでパイプに部分的に強い荷重が掛からないのでパイプを潰す惧が少ない。【００１５】  本項においても前項と同じような効果が期待できる。【００１６】実施の形態３．
樹脂を被覆させた各種に鉄線もホームセンタなどにおいて販売されておりこれらも曲げ加工を加えることで無限に用途を広げられる製品を作りだすことができる。
図１６から図１９まではビニール被覆のある鉄線の３〜５ミリ径程度のものを本案のパイプ曲げ工具で曲げた例を示す。
図１６はとおーん記号、図１７はバネ状で一部傾斜を持たせたもの、図１８はバネ状のもの、図１９はリング状で一部傾斜を持たせたもの、図２０はアヒルのぬいぐるみの倒れ止め台として１５ｄを使用、図２１はアヒルのぬいぐるみの台として１５ｃを使用、図２３は犬のぬいぐるみの台として１５ｂを使用したものである。
図において、１５ａ、１５ｂ、１５ｃ、１５ｄはビニール被覆のある鉄線、１５ｅは端部キャツプ、１６ａはアヒルのぬいぐるみ、１６ｂはアヒルのぬいぐるみ、１６ｃはイヌのぬいぐるみである。【００１７】  前項と同じ機能に加えて鉄線は潰れないので曲げＲを小さく加工できるため無限に用途を広げることができる。【００１８】  このように色々な曲げ加工をすることで無限に夢を広げることができる。
また本工具ではビニール被覆を傷つけず加工ができるといった効果もある。【００１９】実施の形態４．
本例では鋭角に近い曲げができる工具の例を示す。
図２４は実施の形態４の曲げ工具の側面図、図２５は正面図、図２６は斜視図、図２７図２８はこの工具で曲げた製品の例である。
図において、１７は先端が鋭角に近い押え金具、１８はＶ型の受金具、１９は支え金具、２０から２２は曲げた鉄線の例である。【００２０】  実施の形態１で加工した水道プライヤーを流用し押え金具１７を鋭角のものに変える。さらにベース枠はやめて代りにＶ型の受金具１８を１９の支え金具を利用して第１のプライヤーの口金部分に挟み込みネジ止めする。
これにより鉄線などを鋭角に近い曲げ加工を加えることができる。【００２１】  実施の形態１から実施の形態３により曲げたものに１部鋭角の曲げを加えることで思わぬデザインの製品をつくることができ、デザインの幅を広げることができるといったメリットがある。【００２２】  以上のように本案のパイプ曲げ工具で各種曲げにより押入れに眠っている沢山のミニ人形などを自分で考えた曲げによる台により部屋のインテリアとして生かすことができる。それにより資源の有効活用、温暖化の防止にもなる。
【図面の簡単な説明】
【００２３】
【図１】本装置に流用する水道プライヤーの加工図。
【図３】図２の視Ｂ−Ｂで工具の正面図。
【図４】図２の側面図。
【図５】図２から４の斜視図。
【図６】パイプ折り曲げの順序１。
【図７】図６の側面図。
【図８】パイプ曲げ順序２。
【図９】パイプ曲げ順序３。
【図１０】パイプ曲げ部詳細図。
【図１１】パイプ曲げ例で直線部と曲げ部を組合せた物。
【図１２】緩い曲げと直線の組合せ。
【図１３】環状曲げ。
【図１４】スパイラル曲げの例は実施の形態１を示すエレベータの断面図。
【図１５】実施の形態２を示す図１０相当の図。
【図１６】とおーん記号。
【図１７】バネ状で一部傾斜を持たせたもの。
【図１８】バネ状のもの。
【図１９】リング状で一部傾斜を持たせたもの。
【図２０】アヒルのぬいぐるみの倒れ止め台として１５ｄを使用。
【図２１】アヒルのぬいぐるみの台として１５ｃを使用。
【図２３】イヌのぬいぐるみの台として１５ｂを使用。
【図２４】実施の形態４の本曲げ工具の側面図。
【図２５】正面図。
【図２６】斜視図。
【図２７】鋭角を加えた曲げ製品。
【図２８】鋭角を加えた曲げ製品。
【符号の説明】
【００２４】  １は水道プライヤー、１ａは第１のプライヤー部、１ｂは第２のプライヤー部、１ｃは切欠部、１ｄは切欠き凹溝、１ｅはピン用穴、１ｆは軸ピン、１ｇは挟み径調整用ピン掛穴、２はベース枠、２ａは長穴、２ｂは目盛りまたは色分け、３は第１の取付金具、４は第２の取付金具、４ａは取付ネジ、４ｂは取付サラネジ、５はガイド、５ａは大山、５ｂは小山、５ｃは丸谷、５ｄはネジ穴、６は台、６ａは取付ネジ、７は取付ネジ、７ａはナット、８は押え金具、８ａは山、８ｂは樹脂部、９はネジ穴付金具、１０は蝶ボルト、１０ａはストッパー、１０ｂはホルダー部、１０ｃは目盛りまたは色分け、１１は机または工作台、１２はパイプ、１３ａ〜１３ｄはパイプ、１３ｅはツナギピース、１４は押え金具、１４ａは樹脂部、１４ｂは山部、１４ｃはピン１５ａ、１５ｂ、１５ｃ、１５ｄはビニール被覆のある鉄線、１５ｅは端部キャツプ、１６ａはアヒルのぬいぐるみ、１６ｂはアヒルのぬいぐるみ、１６ｃはイヌのぬいぐるみ、１７は先端が鋭角に近い押え金具、１８はＶ型の受金具、１９は支え金具、２０から２２は曲げた鉄線である。
【図１】
2009202231.tif 000003
【図２】
2009202231.tif 000004
【図３】
2009202231.tif 000005
【図４】
2009202231.tif 000006
【図５】
2009202231.tif 000007
【図６】
2009202231.tif 000008
【図７】
2009202231.tif 000009
【図８】
2009202231.tif 000010
【図９】
2009202231.tif 000011
【図１０】
2009202231.tif 000012
【図１１】
2009202231.tif 000013
【図１２】
2009202231.tif 000014
【図１３】
2009202231.tif 000015
【図１４】
2009202231.tif 000016
【図１５】
2009202231.tif 000017
【図１６】
2009202231.tif 000018
【図１７】
2009202231.tif 000019
【図１８】
2009202231.tif 000020
【図１９】
2009202231.tif 000021
【図２０】
2009202231.tif 000022
【図２１】
2009202231.tif 000023
【図２３】
2009202231.tif 000024
【図２４】
2009202231.tif 000025
【図２５】
2009202231.tif 000026
【図２６】
2009202231.tif 000027
【図２７】
2009202231.tif 000028
【図２８】
2009202231.tif 000029
【手続補正書】
【提出日】平成20年5月8日(2008.5.8)
【手続補正２】
【補正対象書類名】明細書
【補正対象項目名】００２３
【補正方法】変更
【補正の内容】
【００２３】
【図１】本装置に流用する水道プライヤーの加工図。
【図２】実施の形態１を示すパイプ曲げ工具の平面図。
【図３】図２の視Ｂ−Ｂで工具の正面図。
【図４】図２の側面図。
【図５】図２から４の斜視図。
【図６】パイプ折り曲げの順序１。
【図７】図６の側面図。
【図８】パイプ曲げ順序２。
【図９】パイプ曲げ順序３。
【図１０】パイプ曲げ部詳細図。
【図１１】パイプ曲げ例で直線部と曲げ部を組合せた物。
【図１２】緩い曲げと直線の組合せ。
【図１３】環状曲げ。
【図１４】スパイラル曲げ。
【図１５】実施の形態２を示す図１０相当の図。
【図１６】とおーん記号。
【図１７】バネ状で一部傾斜を持たせたもの。
【図１８】バネ状のもの。
【図１９】リング状で一部傾斜を持たせたもの。
【図２０】アヒルのぬいぐるみの倒れ止め台として１５ｄを使用。
【図２１】アヒルのぬいぐるみの台として１５ｃを使用。
【図２２】イヌのぬいぐるみ台として１５ｂを使用。
【図２３】実施の形態４の曲げ工具の側面図。
【図２４】図２３の正面図。
【図２５】図２３の斜視図。
【図２６】鋭角を加えた曲げ製品。
【図２７】鋭角を加えた曲げ製品。
【手続補正３】
【補正対象書類名】図面
【補正対象項目名】全図
【補正方法】変更
【補正の内容】
【図１】
2009202231.tif 000030
【図２】
2009202231.tif 000031
【図３】
2009202231.tif 000032
【図４】
2009202231.tif 000033
【図５】
2009202231.tif 000034
【図６】
2009202231.tif 000035
【図７】
2009202231.tif 000036
【図８】
2009202231.tif 000037
【図９】
2009202231.tif 000038
【図１０】
2009202231.tif 000039
【図１１】
2009202231.tif 000040
【図１２】
2009202231.tif 000041
【図１３】
2009202231.tif 000042
【図１４】
2009202231.tif 000043
【図１５】
2009202231.tif 000044
【図１６】
2009202231.tif 000045
【図１７】
2009202231.tif 000046
【図１８】
2009202231.tif 000047
【図１９】
2009202231.tif 000048
【図２０】
2009202231.tif 000049
【図２１】
2009202231.tif 000050
【図２２】
2009202231.tif 000051
【図２３】
2009202231.tif 000052
【図２４】
2009202231.tif 000053
【図２５】
2009202231.tif 000054
【図２６】
2009202231.tif 000055
【図２７】
2009202231.tif 000056
【手続補正４】
【補正対象書類名】特許請求の範囲
【補正対象項目名】請求項２
【補正方法】変更
【補正の内容】
【請求項２】
前記パイプ曲げ工具は水道プラィヤーの第１のプラィヤーの口金側の軸ピン部に穴あけおよびタップ加工したこと、および前記水道プラィヤーの第１と第２の口金部先端を短く切断し第２の口金部に凹型の切り込み溝とピン穴を加工したことを特徴とする請求項１項に記載のパイプ曲げ工具。
【手続補正５】
【補正対象書類名】明細書
【補正対象項目名】００１６
【補正方法】変更
【補正の内容】
【００１６】実施の形態３．  樹脂を被覆させた各種の鉄線もホームセンタなどにおいて販売されておりこれらも曲げ加工を加えることで無限に用途を広げられる製品を作りだすことができる。  図１６から図１９まではビニール被覆のある鉄線の３〜５ミリ径程度のものを本案のパイプ曲げ工具で曲げた例を示す。  図１６はとおーん記号、図１７はバネ状で一部傾斜を持たせたもの、図１８はバネ状のもの、図１９はリング状で一部傾斜を持たせたもの、図２０はアヒルのぬいぐるみの倒れ止め台として１５ｄを使用、図２１はアヒルのぬいぐるみの台として１５ｃを使用、図２２はイヌのぬいぐるみの台として１５ｂを使用したものである。  図において、１５ａ、１５ｂ、１５ｃ、１５ｄはビニール被覆のある鉄線、１５ｅは端部キャツプ、１６ａはアヒルのぬいぐるみ、１６ｂはアヒルのぬいぐるみ、１６ｃはイヌのぬいぐるみである。
【手続補正６】
【補正対象書類名】明細書
【補正対象項目名】００１９
【補正方法】変更
【補正の内容】
【００１９】  実施の形態４．  本例では鋭角に近い曲げができる工具の例を示す。  図２３は実施の形態４の曲げ工具の側面図、図２４は図２３の正面図、図２５は図２３の斜視図、図２６、図２７はこの工具で曲げた製品の例である。  図において、１７は先端が鋭角に近い押え金具、１８はＶ型の受金具、１９は支え金具、２０から２２は曲げた鉄線の例である。